(57)【要約】【課題】水を含むインク組成物を用いて高速で大量に記録する場合においても、記録物の優れた発色性を維持しつつ、排出後のスタック性に優れる記録方法を提供する。【解決手段】色材と有機化合物と水とを含むインク組成物を用いて被記録媒体に記録し、記録物を得る工程を含み、記録した１秒後における記録物中の水分量（Ｗ１）、及び、記録した５秒後における記録物中の水分量（Ｗ５）が、下記関係式（１）及び（２）を満たす、記録方法。  Ｗ１≧２．０［ｍｇ／ｉｎｃｈ2］  ・・・（１）  ５．０［％］≦（Ｗ１−Ｗ５）×１００／Ｗ１≦３０［％］  ・・・（２）【選択図】なし【特許請求の範囲】
【請求項１】
色材と有機化合物と水とを含むインク組成物を用いて被記録媒体に記録し、記録物を得る工程を含み、
記録した１秒後における記録物中の水分量（Ｗ１）、及び、記録した５秒後における記録物中の水分量（Ｗ５）が、下記関係式（１）及び（２）を満たす、
記録方法。
Ｗ１≧２．０［ｍｇ／ｉｎｃｈ2］  ・・・（１）
５．０［％］≦（Ｗ１−Ｗ５）×１００／Ｗ１≦３０［％］  ・・・（２）
【請求項２】
前記有機化合物は、ベタイン及び不飽和脂肪酸を含み、かつ、
前記不飽和脂肪酸に対する前記ベタインの質量比（ベタイン／不飽和脂肪酸）が、１５以上１４０以下である、
請求項１に記載の記録方法。
【請求項３】
前記ベタインの含有量が、前記インク組成物の総量に対して、３．０質量％以上７．０質量％以下である、
請求項２に記載の記録方法。
【請求項４】
前記不飽和脂肪酸の含有量が、前記インク組成物の総量に対して、０．０５質量％以上０．３質量％以下である、
請求項２又は３に記載の記録方法。
【請求項５】
前記水の含有量が、前記インク組成物の総量に対して、４０質量％以上７０質量％以下であり、かつ、前記ベタインに対する前記水の質量比（水／ベタイン）が、８．０以上である、
請求項２〜４のいずれか一項に記載の記録方法。
【請求項６】
前記記録物中の前記ベタインと前記不飽和脂肪酸との合計量が、０．１ｍｇ／ｉｎｃｈ2以上０．４５ｍｇ／ｉｎｃｈ2以下である、
請求項２〜５のいずれか一項に記載の記録方法。
【請求項７】
前記インク組成物は、可溶化剤をさらに含む、
請求項１〜６のいずれか一項に記載の記録方法。
【請求項８】
前記可溶化剤は、ポリオキシエチレンアルキルエーテル、ポリオキシエチレンオレイルエーテル、及びアセチレングリコールからなる群より選択される１種又は２種以上を含有する、
請求項７に記載の記録方法。
【請求項９】
記録した後における記録物のカール変化率が、下記式（３）で表され、
記録した１秒後における記録物のカール変化率、及び、記録した５秒後における記録物のカール変化率が、いずれも４０％以下である、
請求項１〜８のいずれか一項に記載の記録方法。
カール変化率［％］＝｜記録したＸ秒後における記録物のカール角度［度］／９０［度］｜×１００  ・・・（３）
（式中、「カール角度」は、最もカールしている記録物の端部と、記録物と水平面との接点と、がなす角度である。）
【請求項１０】
前記記録物を得る工程が、被記録媒体の幅以上の長さを有するヘッドを用いて、一回の走査で該被記録媒体に記録するライン式である、
請求項１〜９のいずれか一項に記載の記録方法。
【請求項１１】
請求項１〜１０のいずれか一項に記載の記録方法によって得られる、
記録物。
【発明の詳細な説明】
【技術分野】
【０００１】
本発明は、記録方法、及び記録物に関する。
【背景技術】
【０００２】
インクジェット記録方法は、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、インクジェットの印字速度、搬送経路、インクの付着量、インク塗布面積など印字条件が異なっても、カールによるトラブル発生を防止するインクジェット記録方法を提供することを目的として、印刷から排紙までの時間が１０秒以下の高速印刷、または、紙の搬送方法が紙をターンさせる印刷に、粘度が２５℃で、１５ｍＰａ・ｓ以上の水性インクを用いることを特徴とするインクジェット記録方法が開示されている。
【先行技術文献】
【特許文献】
【０００４】
【特許文献１】特開２０１３−０５６４８９号公報
【発明の概要】
【発明が解決しようとする課題】
【０００５】
しかしながら、特許文献１に記載するインクジェット記録方法を用いても、水を含むインク組成物を用いて記録された記録物のカール抑制にはまだ改善の余地がある。特に、高速で大量に記録する場合には、記録物の優れた発色性を維持することができる程度に水を含んだインク組成物を用いて被記録媒体に記録するとカールが生じ、記録後の機内搬送性や排出後のスタック性が顕著に劣る。
【０００６】
そこで、本発明は、上述の課題を解決するためになされたものであり、水を含むインク組成物を用いて高速で大量に記録する場合においても、記録物の優れた発色性を維持しつつ、排出後のスタック性に優れる記録方法を提供することを目的とする。
【課題を解決するための手段】
【０００７】
本発明者らは、上記課題を解決するために鋭意検討した結果、色材と有機化合物と水とを含むインク組成物を用いて被記録媒体に記録し、記録物を得る工程を含み、記録した１秒後における記録物中の水分量、及び、記録した５秒後における記録物中の水分量が、所定の関係式を満たす記録方法を用いることにより、水を含むインク組成物を用いて高速で大量に記録する場合においても、記録物の優れた発色性を維持しつつ、排出後のスタック性に優れることを見出して、本発明を完成させた。
【０００８】
すなわち、本発明は、色材と有機化合物と水とを含むインク組成物を用いて被記録媒体に記録し、記録物を得る工程を含み、記録した１秒後における記録物中の水分量（Ｗ１）、及び、記録した５秒後における記録物中の水分量（Ｗ５）が、下記関係式（１）及び（２）を満たす、記録方法である。
Ｗ１≧２．０［ｍｇ／ｉｎｃｈ2］  ・・・（１）
５．０［％］≦（Ｗ１−Ｗ５）×１００／Ｗ１≦３０［％］  ・・・（２）
【０００９】
本発明に係る記録方法が本発明の課題を解決できる要因は下記のように考えている。ただし、要因はこれに限定されない。すなわち、従来の水を含むインク組成物を用いた記録方法では、インク組成物に含まれる水が被記録媒体中に浸透して膨潤し（例えば、セルロース繊維の水素結合が切断）、その後、水が蒸発して膨潤が緩和することにより（例えば、セルロース繊維中で水素結合が再生成）、記録物のカールが生じる。一方、本発明に係る記録方法は、主として、記録した１秒後における記録物中の水分量（Ｗ１）が上記関係式（１）を満たすことにより、充分な水分量を記録物中に含むため、インク組成物の被記録媒体への浸透を促すことで速乾性に優れ、また、色材がインク組成物中に安定して分散することができ、凝集することなく被記録媒体を染色するため、ムラがなく、また、発色性に優れる。また、本発明に係る記録方法は、主として、記録した１秒後における記録物中の水分量（Ｗ１）、及び、記録した５秒後における記録物中の水分量（Ｗ５）が上記関係式（２）を満たすことにより、記録物中の水が急速に蒸発することを抑制され、カールが抑制される。カールが抑制された記録物は、排出後のスタック性に優れる。
【００１０】
また、本発明に係る記録方法において、前記有機化合物は、ベタイン及び不飽和脂肪酸を含み、かつ、前記不飽和脂肪酸に対する前記ベタインの質量比（ベタイン／不飽和脂肪酸）が、１５以上１４０以下であると好ましく、前記ベタインの含有量が、前記インク組成物の総量に対して、３．０質量％以上７．０質量％以下であるとより好ましく、前記不飽和脂肪酸の含有量が、前記インク組成物の総量に対して、０．０５質量％以上０．３質量％以下であるとより好ましく、前記水の含有量が、前記インク組成物の総量に対して、４０質量％以上７０質量％以下であり、かつ、前記ベタインに対する前記水の質量比（水／ベタイン）が、８．０以上であるとより好ましく、前記記録物中の前記ベタインと前記不飽和脂肪酸との総量が、０．１ｍｇ／ｉｎｃｈ2以上０．４５ｍｇ／ｉｎｃｈ2以下であるとより好ましい。
【００１１】
さらに、本発明に係る記録方法において、前記インク組成物は、可溶化剤をさらに含むと好ましく、前記可溶化剤は、ポリオキシエチレンアルキルエーテル、ポリオキシエチレンオレイルエーテル、及びアセチレングリコールからなる群より選択される１種又は２種以上を含有するとより好ましい。
【００１２】
またさらに、本発明に係る記録方法において、記録した後における記録物のカール変化率が、下記式（３）で表され、記録した１秒後における記録物のカール変化率、及び、記録した５秒後における記録物のカール変化率が、いずれも４０％以下であると好ましい。
カール変化率［％］＝｜記録したＸ秒後における記録物のカール角度［度］／９０［度］｜×１００  ・・・（３）
（式中、「カール角度」は、最もカールしている記録物の端部と、記録物と水平面との接点と、がなす角度である。）
【００１３】
加えて、本発明は、上記の本発明に係る記録方法によって得られる記録物である。
【図面の簡単な説明】
【００１４】
【図１】本実施形態において、被記録媒体又は記録物のカール角度を測定する方法を示す模式図である。
【図２】実施例において、記録物擦り性を評価する際の印刷面積を示す模式図である。
【発明を実施するための形態】
【００１５】
以下、本発明を実施するための形態（以下、「本実施形態」という。）について詳細に説明する。以下の本実施形態は、本発明を説明するための例示であり、本発明を以下の内容に限定する趣旨ではない。本発明はその要旨の範囲内で、適宜に変形して実施できる。
【００１６】
〔記録方法〕
本実施形態の記録方法（以下、単に「記録方法」ともいう。）は、色材と有機化合物と水とを含むインク組成物を用いて被記録媒体に記録し、記録物を得る工程を含み、記録した１秒後における記録物中の水分量（Ｗ１）、及び、記録した５秒後における記録物中の水分量（Ｗ５）が、下記関係式（１）及び（２）を満たす、記録方法である。
Ｗ１≧２．０［ｍｇ／ｉｎｃｈ2］  ・・・（１）
５．０［％］≦（Ｗ１−Ｗ５）×１００／Ｗ１≦３０［％］  ・・・（２）
【００１７】
本実施形態の記録方法が水を含むインク組成物を用いて高速で大量に記録する場合においても、記録物の優れた発色性を維持しつつ、排出後のスタック性に優れる要因は下記のように考えている。ただし、要因はこれに限定されない。すなわち、従来の水を含むインク組成物を用いた記録方法では、インク組成物に含まれる水が被記録媒体中に浸透して膨潤し（例えば、セルロース繊維の水素結合が切断）、その後、水が蒸発して膨潤が緩和することにより（例えば、セルロース繊維中で水素結合が再生成）、記録物のカールが生じる。一方、本実施形態の記録方法は、主として、記録した１秒後における記録物中の水分量（Ｗ１）が上記関係式（１）を満たすことにより、充分な水分量を記録物中に含むため、インク組成物の被記録媒体への浸透を促すことで速乾性に優れ、また、色材がインク組成物中に安定して分散することができ、凝集することなく被記録媒体を染色するため、ムラがなく、また、発色性に優れる。また、本実施形態の記録方法は、主として、記録した１秒後における記録物中の水分量（Ｗ１）、及び、記録した５秒後における記録物中の水分量（Ｗ５）が上記関係式（２）を満たすことにより、記録物中の水が急速に蒸発することを抑制され、カールが抑制される。カールが抑制された記録物は、排出後のスタック性に優れる。さらに、本実施形態の記録方法は、記録物の耐擦り性、及び高温印刷安定性にも優れる。
【００１８】
［インク組成物］
本実施形態のインク組成物は、色材と有機化合物と水とを含む。
【００１９】
＜色材＞
本実施形態のインク組成物は、色材を含む。色材は、顔料及び染料のうち少なくとも一方を用いることができる。
【００２０】
本実施形態において、色材として顔料を用いることにより、インク組成物の発色性をより向上させることができる。顔料は、無機顔料及び有機顔料のいずれも使用することができる。
【００２１】
顔料をインク組成物に適用するためには、顔料が水中で安定的に分散保持できるようにすることが好ましい。その方法としては、水溶性樹脂及び／又は水分散性樹脂の樹脂分散剤にて分散させる方法（以下、この方法により分散された顔料を「樹脂分散顔料」という。）、水溶性界面活性剤及び／又は水分散性界面活性剤の界面活性剤にて分散させる方法（以下、この方法により分散された顔料を「界面活性剤分散顔料」という。）、顔料表面に水溶性基を化学的及び物理的に導入し、上記の樹脂あるいは界面活性剤等の分散剤なしで水中に分散及び／又は溶解可能とする方法（以下、この方法により分散された顔料を「自己分散型顔料」という。）等が挙げられる。本実施形態において、インク組成物は、上記の樹脂分散顔料、界面活性剤分散顔料、自己分散型顔料のいずれも用いることができ、必要に応じて複数種混合した形で用いることもできる。
【００２２】
本実施形態では、インク組成物に用いる顔料としては、上記の樹脂分散顔料、界面活性剤分散顔料及び自己分散型顔料の中でも、自己分散型顔料を用いることが発色性に優れるため、好ましい。
【００２３】
自己分散型顔料とは、上記のように分散剤なしに水性媒体中に分散及び／又は溶解することが可能な顔料である。ここで、「分散剤なしに水性媒体中に分散及び／又は溶解」とは、顔料を分散させるための分散剤を用いなくても、その表面の水溶性基により、顔料が水性媒体中に安定に存在している状態をいう。
【００２４】
自己分散型顔料を色材として含有するインク組成物は、通常の顔料を分散させるために分散剤を含有させる必要が無く、分散剤に起因する消泡性の低下による発泡がほとんど無く、吐出安定性に優れるインク組成物が調製しやすい。また、分散剤に起因する気液乾燥異物が抑えられることから吐出信頼性に優れ、また分散剤に起因する大幅な粘度上昇が抑えられるため、顔料をより多く含有することが可能となり、印字濃度を十分に高めることが可能となる。
【００２５】
本実施形態においてインク組成物に用いる自己分散型顔料は、その顔料表面に水溶性基を有する自己分散型顔料であり、その水溶性基は、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、および−ＮＲ3（式中のＭは、水素原子、アルカリ金属、アンモニウム、又は有機アンモニウムを表し、Ｒは、炭素原子数１〜１２のアルキル基または置換基を有していてもよいナフチル基を表す）からなる群から選択される１以上の水溶性基である。
【００２６】
インク組成物に用いる自己分散型顔料は、例えば、顔料に物理的処理又は化学的処理を施すことで、水溶性基を顔料の表面に結合（グラフト）させることにより製造される。このような物理的処理としては、例えば、真空プラズマ処理等が挙げられる。また化学的処理としては、例えば、水中で酸化剤により酸化する湿式酸化法等が挙げられる。この水溶性基を顔料表面に導入する量を調節することによって、顔料分散体の比表面積を調整することができる。
【００２７】
また、本実施形態において、自己分散型顔料としては、次亜ハロゲン酸及び／又は次亜ハロゲン酸塩による酸化処理、オゾンによる酸化処理、あるいは過硫酸及び／又は過硫酸塩による酸化処理により表面処理された自己分散型顔料が、高発色という点で好ましい。
【００２８】
無機顔料としては、ファーネスブラック、ランプブラック、アセチレンブラック、チャネルブラック等のカーボンブラック（Ｃ．Ｉ．ピグメントブラック７）類、酸化鉄、酸化チタンを使用することができる。
【００２９】
有機顔料としては、不溶性アゾ顔料、縮合アゾ顔料、アゾレーキ、キレートアゾ顔料等のアゾ顔料、フタロシアニン顔料、ペリレン及びペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料が挙げられる。
【００３０】
更に詳しくは、ブラックインクとして使用されるカーボンブラックとしては、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等以上、コロンビアカーボン社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４等（以上、デグッサが挙げられる。
【００３１】
ホワイトインクに使用される顔料としては、Ｃ．Ｉ．ピグメントホワイト  ６，１８，２１が挙げられる。
【００３２】
イエローインクに使用される顔料としては、Ｃ．Ｉ．ピグメントイエロー  １，２，３，４，５，６，７，１０，１１，１２，１３，１４，１６，１７，２４，３４，３５，３７，５３，５５，６５，７３，７４，７５，８１，８３，９３，９４，９５，９７，９８，９９，１０８，１０９，１１０，１１３，１１４，１１７，１２０，１２４，１２８，１２９，１３３，１３８，１３９，１４７，１５１，１５３，１５４，１５５，１６７，１７２，１８０が挙げられる。
【００３３】
マゼンタインクに使用される顔料としては、Ｃ．Ｉ．ピグメントレッド  １，２，３，４，５，６，７，８，９，１０，１１，１２，１４，１５，１６，１７，１８，１９，２１，２２，２３，３０，３１，３２，３７，３８，４０，４１，４２，４８（Ｃａ），４８（Ｍｎ），５７（Ｃａ），５７：１，８８，１１２，１１４，１２２，１２３，１４４，１４６，１４９，１５０，１６６，１６８，１７０，１７１，１７５，１７６，１７７，１７８，１７９，１８４，１８５，１８７，２０２，２０９，２１９，２２４，２４５、Ｃ．Ｉ．ピグメントヴァイオレット  １９，２３，３２，３３，３６，３８，４３，５０が挙げられる。
【００３４】
シアンインクに使用される顔料としては、Ｃ．Ｉ．ピグメントブルー  １，２，３，１５，１５：１，１５：２，１５：３，１５：３４，１５：４，１６，１８，２２，２５，６０，６５，６６、Ｃ．Ｉ．バット ブルー  ４，６０が挙げられる。
【００３５】
また、マゼンタ、シアン、及びイエロー以外の顔料としては、例えば、Ｃ．Ｉ．ピグメントグリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００３６】
染料としては、例えば、酸性染料、直接染料、反応性染料、及び塩基性染料が挙げられる。具体的には、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５が挙げられる。
【００３７】
色材は、１種を単独で又は２種以上を組み合わせて用いてもよい。色材の含有量は、インク組成物の総量（１００質量％）に対して、好ましくは０．１質量％以上２０質量％以下であり、より好ましくは１．０質量％以上１５質量％以下であり、さらに好ましくは３．０質量％以上１０質量％以下である。色材の含有量が上記範囲内であることで、記録物の発色性がより良好となる傾向にある。
【００３８】
インク組成物の吐出安定性の観点から、本実施形態において好ましい顔料の平均粒子径（Ｄ５０）は５ｎｍ〜４００ｎｍの範囲であり、より好ましくは３０ｎｍ〜３００ｎｍの範囲であり、さらに好ましくは５０ｎｍ〜２００ｎｍの範囲である。
【００３９】
なお、本明細書では、「平均粒子径」とは、特に断りのない限り、体積基準の平均粒子径のことを指すものとする。平均粒子径は、レーザー回折散乱法を測定原理とする粒度分布測定装置により測定することができる。レーザー回折式粒度分布測定装置として、例えば、「マイクロトラックシリーズ」（マイクロトラック・ベル株式会社製）を用いることができる。
【００４０】
＜有機化合物＞
本実施形態のインク組成物は、有機化合物を含む。有機化合物は、ベタイン又は不飽和脂肪酸のうち少なくとも一方を含むことが好ましく、ベタイン及び不飽和脂肪酸を含むことがより好ましい。本明細書において、「ベタイン」とは、正電荷と負電荷とを同一分子内の隣り合わない位置に有することができ、その場合に分子全体としては電荷を持たない化合物を意味する。
【００４１】
本実施形態において、有機化合物としてベタインを含むことにより、記録物中でベタインが水分を保持することに起因して、上述した関係式（２）を満たす範囲に制御することが容易になる。
【００４２】
ベタインとしては、カチオン性基及びアニオン性基を同一分子内に有する化合物であれば特に限定されないが、例えば、トリメチルグリシン、カルニチン等の４級アミン；ジメチルグリシン等の３級アミン；２級アミン；グリシン等のアミノ酸が挙げられる。このなかでも、トリメチルグリシン、ジメチルグリシン、及びグリシンからなる群より選ばれる１種以上がより好ましい。このようなベタインを用いることにより、帯電性異物の混入などの外乱に対する安定性がより向上する傾向にある。
【００４３】
ベタインの炭素数は、好ましくは３〜１２であり、より好ましくは３〜７であり、さらに好ましくは４〜６である。ベタインの炭素数が上記範囲内であることにより、帯電性異物の混入等の外乱に対する安定性がより向上する傾向にある。
【００４４】
ベタインは、１種を単独で又は２種以上を組み合わせて用いてもよい。ベタインの含有量は、インク組成物の総量（１００質量％）に対して、好ましくは１．０質量％以上１０質量％以下であり、より好ましくは３．０質量％以上７．０質量％以下であり、さらに好ましくは４．０質量％以上６．０質量％以下である。ベタインの含有量が１．０質量％以上であることで、スタック性がより良好となる傾向にある。また、ベタインの含有量が１０質量％以下であることで、記録物の乾燥性が良好になり、定着性に優れる傾向にある。
【００４５】
本実施形態において、有機化合物として不飽和脂肪酸を含むことにより、記録物中で不飽和脂肪酸が水分の浸透及び拡散を促進し、乾燥を促進することに起因して、上述した関係式（２）を満たす範囲に制御することが容易になる。
【００４６】
不飽和脂肪酸としては、炭素−炭素二重結合を有する脂肪酸であれば特に限定されないが、例えば、炭素−炭素二重結合を１つ有するモノ不飽和脂肪酸、及び炭素−炭素二重結合を２つ以上有するポリ不飽和脂肪酸が挙げられる。モノ不飽和脂肪酸としては、特に限定されないが、例えば、クロトン酸、ミリストレイン酸、パルミトレイン酸、オレイン酸、エライジン酸、バクセン酸、ガドレイン酸、エイコセン酸、エルカ酸、及びネルボン酸が挙げられる。ポリ不飽和脂肪酸としては、リノール酸、及びリノレン酸が挙げられる。
【００４７】
不飽和脂肪酸は、精製されたものであってもよく、オレイン酸を主成分とするオリーブ油のような天然油であってもよい。
【００４８】
不飽和脂肪酸は、１種を単独で又は２種以上を組み合わせて用いてもよい。不飽和脂肪酸の含有量は、インク組成物の総量（１００質量％）に対して、好ましくは０．０１質量％以上１．０質量％以下であり、より好ましくは０．０５質量％以上０．３質量％以下であり、さらに好ましくは０．０７質量％以上０．２質量％以下である。不飽和脂肪酸の含有量が０．０１質量％以上であることで、記録物の乾燥性が良好になり、定着性に優れる傾向にある。また、不飽和脂肪酸の含有量が１．０質量％以下であることで、スタック性がより良好となる傾向にある。
【００４９】
有機化合物がベタイン及び不飽和脂肪酸を含む場合に、不飽和脂肪酸に対するベタインの質量比（ベタイン／不飽和脂肪酸）が、好ましくは１５以上１４０以下であり、より好ましくは２０以上１１０以下であり、さらに好ましくは２５以上９０以下であり、よりさらに好ましくは３０以上７０以下である。上記質量比が１５以上であることで、記録物のスタック性及び高温印刷安定性がより良好となる傾向にある。また、上記質量比が１４０以下であることで、耐擦り性がより良好となる傾向にある。
【００５０】
有機化合物は、１種を単独で又は２種以上を組み合わせて用いてもよい。有機化合物の含有量は、インク組成物の総量（１００質量％）に対して、０．１質量％以上２０質量％以下であることが好ましく、１．０質量％以上１５質量％以下であることがより好ましく、３．０質量％以上１０質量％以下であることがさらに好ましい。有機化合物の含有量が０．１質量％以上であることで、記録物の発色性がより良好となる傾向にある。また、有機化合物の含有量が２０質量％以下であることで、インク組成物中での色材の分散性がより良好となる傾向にある。
【００５１】
＜可溶化剤＞
インク組成物は、可溶化剤をさらに含むことが好ましい。「可溶化剤」とは、有機化合物をインク組成物、特に水への溶解を促進させるものを意味する。可溶化剤を含むことにより、インク組成物中で有機化合物が析出することを抑制し、また、記録物中で有機化合物が均一に分散するよう促す傾向にある。可溶化剤は、特に限定されないが、不飽和脂肪酸に対してより効率的に作用する。
【００５２】
可溶化剤としては、特に限定されないが、例えば、アセチレングリコール系可溶化剤、アルキルエーテル系可溶化剤、フッ素系可溶化剤、及びシリコーン系可溶化剤が挙げられる。
【００５３】
アセチレングリコール系可溶化剤としては、特に限定されないが、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される１種以上が好ましい。アセチレングリコール系可溶化剤の市販品としては、特に限定されないが、例えば、オルフィンＥ１０１０、ＰＤ−００２Ｗ、ＰＤ−００５、ＥＸＰ４２００、ＥＸＰ４３００、ＷＥ−００３等、サーフィノール１０４Ｅ、１０４ＰＧ５０、４２０、４６５、４８５、６１、８２、ＤＦ１１０Ｄ、ＤＦ３７、ＤＦ７５、ＭＤ−２０等（商品名、日信化学工業社製）が挙げられる。アセチレングリコール系可溶化剤は、１種単独で使用してもよいし、２種以上を併用してもよい。
【００５４】
アルキルエーテル系可溶化剤としては、特に限定されないが、ポリオキシエチレン２−エチルヘキシルエーテル、ポリオキシエチレンオレイルエーテル、ポリオキシエチレントリデシルエーテル、ポリオキシエチレンヒマシ油エーテル、ポリオキシエチレンセチルエーテル、ポリオキシエチレンステアリルエーテル、ポリオキシエチレンアルキルエーテル、及びポリオキシアルキレントリデシルエーテルから選択される１種以上が好ましい。アルキルエーテル系可溶化剤の市販品としては、特に限定されないが、例えば、ニューコール１００６、１００８、１０２０（日本乳化剤社製商品名）、ノイゲンＤＬ−０４１５、
ＥＴ−１１６Ｂ、ＥＴ−１０６Ａ、ＤＨ−０３００、ＹＸ−４００、ＥＡ−１６０（第一工業製薬社製商品名）、エマルゲン４３０、１１０８（花王社製商品名）が挙げられる。アルキルエーテル系可溶化剤は、１種単独で使用してもよいし、２種以上を併用してもよい。
【００５５】
フッ素系可溶化剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、及びパーフルオロアルキルアミンオキサイド化合物が挙げられる。フッ素系可溶化剤の市販品としては、特に限定されないが、例えば、Ｓ−１４４、Ｓ−１４５（以上商品名、旭硝子株式会社製）；ＦＣ−１７０Ｃ、ＦＣ−４３０、フロラード−ＦＣ４４３０（以上商品名、住友スリーエム株式会社製）；ＦＳＯ、ＦＳＯ−１００、ＦＳＮ、ＦＳＮ−１００、ＦＳ−３００（以上商品名、Ｄｕｐｏｎｔ社製）；ＦＴ−２５０、２５１（以上商品名、株式会社ネオス製）が挙げられる。フッ素系可溶化剤は、１種単独で使用してもよいし、２種以上を併用してもよい。
【００５６】
シリコーン系可溶化剤としては、特に限定されないが、例えば、ポリシロキサン系化合物、及びポリエーテル変性オルガノシロキサンが挙げられる。シリコーン系可溶化剤の市販品としては、特に限定されないが、具体的には、ＳＡＧ５０３Ａ（商品名、日信化学工業社製）、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学社製）等が挙げられる。シリコーン系可溶化剤は、１種単独で使用してもよいし、２種以上を併用してもよい。
【００５７】
可溶化剤は、上述した中でも、アルキルエーテル系可溶化剤、又はアセチレングリコール系可溶化剤を含有することがより好ましく、ポリオキシエチレンアルキルエーテル、ポリオキシエチレンオレイルエーテル、及びアセチレングリコール系可溶化剤からなる群より選択される１種又は２種以上を含有することがさらに好ましい。
【００５８】
可溶化剤の含有量は、インク組成物の総量（１００質量％）に対して、好ましくは０．０５質量％以上２．５質量％以下であり、より好ましくは０．１質量％以上１．５質量％以下であり、さらに好ましくは０．３質量％以上１．０質量％以下である。可溶化剤の含有量が上記範囲内であることで、スタック性、耐擦り性、及び高温印刷安定性により優れる傾向にある。
【００５９】
＜溶剤＞
本実施形態のインク組成物は、溶剤をさらに含むことができる。溶剤は、水と共に用いることができる溶剤であれば、特に限定されない。
【００６０】
溶剤の種類としては、特に限定されないが、例えば、非プロトン性極性溶剤、モノアルコール、アルキルポリオール、及びグリコールエーテルが挙げられる。本実施形態の溶剤は、これらの有機溶剤の中から、各種有機溶剤を適宜選択して用いることができる。
【００６１】
非プロトン性極性溶剤としては、特に限定されないが、例えば、２−ピロリドン、Ｎ−アルキル−２−ピロリドン、１−アルキル−２−ピロリドン、γ‐ブチロラクトン、１，３−ジメチル−２−イミダゾリジノン、ジメチルスルホキシド、イミダゾール、１−メチルイミダゾール、２−メチルイミダゾール、及び１，２−ジメチルイミダゾールが挙げられる。
【００６２】
モノアルコールとしては、特に限定されないが、例えば、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノールが挙げられる。
【００６３】
アルキルポリオールとしては、特に限定されないが、例えば、グリセリン、エチレングリコール、ジエチレングリコール、トリエチレングリコール、プロピレングリコール（１，２−プロパンジオール）、ジプロピレングリコール、１，３−プロピレングリコール（１，３−プロパンジオール）、イソブチレングリコール（２−メチル−１，２−プロパンジオール）、１，２−ブタンジオール、１，３−ブタンジオール、１，４−ブタンジオール、２−ブテン−１，４−ジオール、１，２−ペンタンジオール、１，５−ペンタンジオール、２−メチル−２，４−ペンタンジオール、１，２−ヘキサンジオール、１，６−ヘキサンジオール、２−エチル−１，３−ヘキサンジオール、１，７−ヘプタンジオール、１，８−オクタンジオール、及びトリメチロールプロパンが挙げられる。
【００６４】
グリコールエーテルとしては、特に限定されないが、例えば、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、及びジプロピレングリコールモノ−ｉｓｏ−プロピルエーテルが挙げられる。
【００６５】
溶剤は、１種を単独で又は２種以上を組み合わせて用いてもよい。溶剤の含有量は、インク組成物の総量（１００質量％）に対して、好ましくは１．０質量％以上７０質量％以下であり、より好ましくは５．０質量％以上５０質量％以下であり、さらに好ましくは１０質量％以上３０質量％以下である。溶剤の含有量が上記範囲内であることで、スタック性、耐擦り性、及び高温印刷安定性により優れる傾向にある。
【００６６】
＜水＞
本実施形態のインク組成物は、水を含む。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、凝集液を長期保存する場合にカビやバクテリアの発生を防止することができる。これにより貯蔵安定性がより向上する傾向にある。
【００６７】
水の含有量は、インク組成物の総量（１００質量％）に対して、好ましくは１０質量％以上９０質量％以下であり、より好ましくは４０質量％以上７０質量％以下であり、さらに好ましくは５０質量％以上６９質量％以下である。水の含有量が上記範囲内であることで、スタック性、耐擦り性、及び発色性により優れる傾向にある。
【００６８】
水の含有量が上記範囲内にある場合に、ベタインに対する水の質量比（水／ベタイン）が、好ましくは８．０以上であり、より好ましくは１０以上１５以下であり、さらに好ましくは１２以上１４以下である。上記質量比が上記範囲内であると、優れた発色性と優れたスタック性との２つの機能バランスにより優れる傾向にある。
【００６９】
＜その他＞
インク組成物は、その他の成分として、樹脂粒子、溶解助剤、粘度調整剤、水酸化カリウムやトリエタノールアミン等のｐＨ調整剤、酸化防止剤、防カビ・防腐剤、防黴剤、腐食防止剤、分散に影響を与える金属イオンを捕獲するためのキレート化剤（例えば、エチレンジアミン四酢酸ナトリウム）等の、種々の添加剤を適宜含有することもできる。
【００７０】
上記樹脂粒子は、インク組成物の乾燥に伴い、樹脂粒子同士及び樹脂粒子と着色成分とが互いに融着して顔料を被記録媒体に固着させるため、記録物の画像部分の定着性を向上させる作用を有し、得られた記録物の画像堅牢性が向上する傾向にある。また、樹脂粒子をエマルジョンの形態としてインク組成物中に含有させることができる。
【００７１】
ここで、「エマルジョン」とは、インク組成物の液媒体に難溶あるいは不溶である樹脂成分を、微粒子状にしてインク組成物の液媒体に分散させたものを意味する。
【００７２】
樹脂粒子をエマルジョン状態でインク組成物中に含有させることにより、インク組成物の粘度をインクジェット記録方式において適正な範囲に調整しやすく、かつ、インク組成物の保存安定性及び吐出安定性に優れたものとなる傾向にある。
【００７３】
樹脂としては、特に限定されないが、例えば、（メタ）アクリル系樹脂、スチレンアクリル系樹脂、フルオレン系樹脂、ウレタン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、及びエチレン酢酸ビニル系樹脂が挙げられる。これらの樹脂は、１種を単独で用いてもよいし、２種以上を併用してもよい。これらの樹脂はホモポリマーとして使用されてもよく、またコポリマーして使用されてもよい。本実施形態において、耐スチレンアクリル系樹脂、フルオレン系樹脂、ウレタン樹脂、及びポリオレフィン系樹脂が、擦り性を向上させる観点から好ましい。
【００７４】
［記録工程］
本実施形態の記録方法は、上述したインク組成物を用いて被記録媒体に記録し、記録物を得る工程（以下、「記録工程」という。）を含む。記録工程では、より具体的にはインクジェット法により、インク組成物を被記録媒体上に吐出して、記録物が得られる。この被記録媒体としては、例えば、吸収性の被記録媒体又は非吸収性の被記録媒体が挙げられる。本実施形態の記録方法は、水溶性のインク組成物の浸透が困難な非吸収性被記録媒体から、水溶性のインク組成物の浸透が容易な吸収性被記録媒体まで、様々な吸収性能を持つ被記録媒体に幅広く適用できるが、吸収性被記録媒体に適用することが好ましい。
【００７５】
吸収性被記録媒体として、具体的には、インクの浸透性が高い電子写真用紙などの普通紙、インクジェット用紙（シリカ粒子若しくはアルミナ粒子から構成されたインク吸収層、又は、ポリビニルアルコール（ＰＶＡ）若しくはポリビニルピロリドン（ＰＶＰ）等の親水性ポリマーから構成されたインク吸収層を備えたインクジェット専用紙）から、インクの浸透性が比較的低い一般のオフセット印刷に用いられるアート紙、コート紙、キャスト紙が挙げられる。
【００７６】
非吸収性被記録媒体として、具体的には、ポリ塩化ビニル、ポリエチレン、ポリプロピレン、ポリエチレンテレフタレート（ＰＥＴ）等のプラスチック類のフィルム及びプレート、鉄、銀、銅、アルミニウム等の金属類のプレート、並びにそれら各種金属を蒸着により製造した金属プレートやプラスチック製のフィルム、ステンレス及び真鋳等の合金のプレートが挙げられる。
【００７７】
本実施形態は、インクの乾燥を促進するために、記録前、記録中、記録後の一部、及び全てで被記録媒体を加熱する加熱工程をさらに含んでもよい。加熱する手段としては、温度が制御できる装置であれば特に限定されず、輻射加熱式のシーズヒータや赤外線ヒータ、接触加熱式のシートヒータ、電磁波等を用いる方法が挙げられる。加熱温度は、被記録媒体の表面温度として４０〜８０℃が好ましい。さらに、ファン等による送風工程をさらに含んでもよい。
【００７８】
本実施形態の記録方法は、上記各工程の他、従来のインクジェット記録方法が有する公知の工程を有していてもよい。
【００７９】
〔記録物〕
本実施形態の記録物は、上述した記録方法によって得られるものであれば、特に限定されない。
【００８０】
本実施形態において、記録した１秒後における記録物中の水分量（Ｗ１）、及び、記録した５秒後における記録物中の水分量（Ｗ５）が、下記関係式（１）及び（２）を満たす。
Ｗ１≧２．０［ｍｇ／ｉｎｃｈ2］  ・・・（１）
５．０［％］≦（Ｗ１−Ｗ５）×１００／Ｗ１≦３０［％］  ・・・（２）
【００８１】
上記関係式（１）を満たすことにより、充分な水分が記録物中に存在し、被記録媒体へのインク組成物の浸透を促すことで速乾性に優れ、また、色材が安定して分散することができ、凝集することなく記録媒体を染色するため、ムラのない、優れた発色性を得ることができる。また、Ｗ１は、より優れた速乾性、発色性を得る観点から、好ましくは２．３［ｍｇ／ｉｎｃｈ2］以上であり、より好ましくは２．７［ｍｇ／ｉｎｃｈ2］以上であり、さらに好ましくは３．０［ｍｇ／ｉｎｃｈ2］以上である。
【００８２】
上記関係式（２）を満たすことにより、排出後のスタック性に優れる。また、（Ｗ１−Ｗ５）×１００／Ｗ１（以下、「水分量変化率」ともいう。）は、より優れたスタック性を得る観点から、好ましくは７．０％以上２５％以下であり、より好ましくは１０％以上２３％以下であり、さらに好ましくは１３％以上２０％以下である。
【００８３】
記録物中のベタインと不飽和脂肪酸との合計量は、好ましくは０．０１ｍｇ／ｉｎｃｈ2以上１．０ｍｇ／ｉｎｃｈ2以下であり、より好ましくは０．１ｍｇ／ｉｎｃｈ2以上０．４５ｍｇ／ｉｎｃｈ2以下であり、さらに好ましくは０．２ｍｇ／ｉｎｃｈ2以上０．３ｍｇ／ｉｎｃｈ2以下である。上記合計量が上記範囲内であると、優れた発色性と優れたスタック性との２つの機能バランスにより優れる傾向にある。上記合計量は、インク組成物の被記録媒体に対する打ち込み量と、インク組成物の組成とから算出する。
【００８４】
記録物のカールの程度を示す指標として、下記式（３）で表される記録物のカール変化率を定義する。ここで、記録した１秒後における記録物のカール変化率、及び、記録した５秒後における記録物のカール変化率が、好ましくはいずれも４０％以下であり、より好ましくはいずれも３０％以下であり、さらに好ましくはいずれも２０％以下である。カール変化率が上記範囲内であると、スタック性により優れる傾向にある。
カール変化率［％］＝｜記録したＸ秒後における記録物のカール角度［度］／９０［度］｜×１００  ・・・（３）
（式中、「カール角度」は、最もカールしている記録物の端部と、記録物と水平面との接点と、がなす角度である。）
【００８５】
式中での「カール角度」は、被記録媒体又はその記録物を平面上に置いた際、あるいは被記録媒体又はその記録物の重心を通る軸を固定して被記録媒体又はその記録物を吊り下げた際に計測される角度である。図１は、本実施形態において、被記録媒体又は記録物のカール角度を測定する方法を示す模式図である。図１に示すように、被記録媒体又は記録物を基準面となる所定の場所に置き、被記録媒体又は記録物の端部と基準面との接点とがなす角度を測定して、カール角度とする。具体的には後述する実施例に記載の方法により測定する。また、図示していないが、被記録媒体又はその記録物を吊り下げる場合は、上記重心を通る軸を含む水平面を基準面とし、最もカールしている被記録媒体又は記録物の端部と、被記録媒体又は記録物と基準面（水平面）との接点とがなす角度を測定して、カール角度とする。ここで「接点」とは、被記録媒体又は記録物と水平面とが接する面において、被記録媒体又は記録物の重心を通る軸と交差する点を意味する。
【００８６】
記録工程は、被記録媒体の幅以上の長さを有する記録ヘッドを用いて、一回の走査で該被記録媒体に記録するライン式であることが好ましい。ライン式であることにより、複数走査によるマルチパス式に比べて、高速での印刷が可能となる。また、被記録媒体の幅以上の長さを有する記録ヘッドを用いることにより、一つの長尺な記録ヘッドや、複数の記録ヘッドを並べた記録ヘッドユニット等を用いることができる。また、記録工程における記録ヘッドは、１色毎に異なる記録ヘッドを１つ以上用いることが好ましい。
【実施例】
【００８７】
以下、実施例及び比較例を挙げて本実施形態をより具体的に説明するが、本実施形態はその要旨を超えない限り、以下の実施例及び比較例によって何ら限定されるものではない。
【００８８】
下記の実施例及び比較例においてインク組成物に用いた材料は、以下の通りである。
〔色材〕
Ｃａｂ−Ｏ−ＪＥＴ３００（自己分散型カーボンブラック；キャボット社製の商品名）
〔有機化合物〕
［ベタイン］
トリメチルグリシン
ジメチルグリシン
グリシン
カルニチン
［不飽和脂肪酸］
オレイン酸
リノール酸
リノレン酸
〔可溶化剤〕
ニューコール１００６（日本乳化剤社製商品名、ポリオキシエチレン−２−エチルヘキシルエーテル（Ｃ8Ｈ17−Ｏ−（ＣＨ2ＣＨ2Ｏ）n−Ｈ））
エマルゲン４３０（花王社製の商品名、ポリオキシエチレンオレイルエーテル）
サーフィノール１０４（日信化学工業社製の商品名）
〔溶剤〕
グリセリン（東京化成工業株式会社製）
トリエチレングリコールモノブチルエーテル（東京化成工業株式会社製）
〔ｐＨ調整剤〕
水酸化カリウム
〔樹脂粒子〕
スチレンアクリル酸共重合体（日本合成化学工業株式会社製の商品名「モビニール６７３０」）
〔水〕
純水
【００８９】
［インク組成物の調製］
各材料を下記の表１及び表２に示す組成で混合し、十分に撹拌し、各組成物を得た。なお、下記の表１及び表２中、数値は固形分量を表し、単位は質量％であり、合計は１００．０質量％である。
【００９０】
【表１】
2018165020.tif 000002
【００９１】
【表２】
2018165020.tif 000003
【００９２】
［記録物中の水分量］
インクジェット記録装置として、インクジェットプリンタＰＸ−７０５０（セイコーエプソン社製）を、６００ｄｐｉ×６００ｄｐｉの解像度を１回の走査（１パス）で印刷できるように改造し、印刷速度は紙の搬送速度を調整して、以下の評価に用いた。そのインクジェット記録装置のインクカートリッジに各インク組成物を充填し、Ａ４サイズのＸｅｒｏｘ  Ｐ紙（富士ゼロックス社製コピー用紙、坪量６４ｇ／ｍ2、紙厚８８μｍ；被記録媒体）に下記表３及び表４に示すインク打ち込み量に調整して、ベタパターンを印刷した。なお、印刷速度は１００枚／分であった。
その後、排紙された記録物中の水分量を、記録した１秒後の水分量（Ｗ１）及び５秒後の水分量（Ｗ５）を測定し、それらから下記式で表される水分量変化率を算出した。
水分量変化率［％］＝（Ｗ１−Ｗ５）×１００／Ｗ１
ここで、水分量（Ｗ１）及び水分量（Ｗ５）は、印刷前の被記録媒体の質量（Ｐ０）を「ＭＴ４００」（ＭＥＴＴＬＥＲ  ＴＯＬＥＤＯ社製の商品名）を用いて測定し、上記被記録媒体に上記条件でベタパターンを印刷した後に、排紙された記録物の記録した１秒後の質量（Ｐ１）及び記録した５秒後の質量（Ｐ５）を測定し、下記式に従って算出した。
水分量＝（記録したＸ秒後における記録物の質量−被記録媒体の質量）×（用いたインク組成物中の水の含有率［質量％］
【００９３】
ここで、表３及び表４中の「インク組成物打ち込み量」は、下記式を用いてＤｕｔｙを変更することにより調整した。
インク組成物打ち込み量［ｍｇ／ｉｎｃｈ2］＝６００×６００（ｉｎｃｈあたりの縦横解像度）×１４［ｎｇ］（１ドットあたりの質量）×１０-6／印刷Ｄｕｔｙ［％］
ここで、印刷Ｄｕｔｙは、印刷Ｄｕｔｙは［％］＝（１平方ｉｎｃｈあたりの記録ドット数／１ｉｎｃｈあたりの縦横記録解像度６００×６００）×１００、で表される。
また、表３及び表４中の「記録物中のベタイン及び不飽和脂肪酸の合計量」、「記録物中のベタイン量」、及び「記録物中の不飽和脂肪酸量」は、インク組成物の組成比と上記インク組成物打ち込み量とから、算出した。
【００９４】
［カール変化率］
上記のインクジェット記録装置を用い、そのインクジェット記録装置のインクカートリッジに各インク組成物を充填し、Ａ４サイズのＸｅｒｏｘ  Ｐ紙（富士ゼロックス社製コピー用紙、坪量６４ｇ／ｍ2、紙厚８８μｍ；被記録媒体）に温度２５℃、湿度５０％の環境下において、下記パターン条件、普通紙標準モードでベタパターンを印刷した。なお、印刷速度は１００枚／分であった。
パターン条件：余白＝１ｍｍ、印刷面積＝被記録媒体の全体
その後、排紙された記録物を幅１ｃｍ、長さ１５ｃｍ、高さ３０ｃｍの直方体箱の天面にのせ、該箱の天面の位置を０として、用紙の先端から基準面（水平面）との接点がなす角度（単位；度）を、記録した１秒後（カール角度（θ１）［度］）及び５秒後（カール角度（θ５）［度］）で測った。測った角度の値から、下記式（３）で表されるカール変化率を算出した。
カール変化率［％］＝｜記録したＸ秒後における記録物のカール角度（θｘ）［度］／９０［度］｜×１００  ・・・（３）
図１に示すように、被記録媒体又は記録物を基準面となる所定の場所に置き、最もカールしている被記録媒体又は記録物の端部と、被記録媒体又は記録物と基準面（水平面）との接点がなす角度θを測定して、被記録媒体又は記録物のカール角度とした。なお、印刷前の被記録媒体が自重等で初期的にたわみを有する場合には、上述の方法と同様にして、印刷前の被記録媒体を上記直方体箱の天面にのせ、最もカールしている被記録媒体の先端から基準面との接点がなす角度（カール角度（θ０）［度］）を測定し、記録したＸ秒後における記録物のカール角度（θｘ）［度］から差し引いて、カール変化率を計算した。詳しくは、式３は、｜（θｘ−θ０）／９０｜×１００と変形し、カール変化率を計算した。
【００９５】
［スタック性］
上記のインクジェット記録装置を用い、そのインクジェット記録装置のインクカートリッジに各インク組成物を充填し、Ａ４サイズのＸｅｒｏｘ  Ｐ紙（富士ゼロックス社製コピー用紙、坪量６４ｇ／ｍ2、紙厚８８μｍ；被記録媒体）に温度２５℃、湿度５０％の環境下において、下記パターン条件、普通紙標準モードでベタパターンを２００枚連続で印刷した。なお、印刷速度は１００枚／分であった。
パターン条件：印刷Ｄｕｔｙ＝６０〜１００％、淵幅＝１ｍｍ、印刷面積＝被記録媒体の全体
印刷後、連続印刷した２００枚全てがインクジェット記録装置の排出部に散乱せず収容できた印刷Ｄｕｔｙを測定し、下記評価基準によりスタック性を評価した。
（評価基準）
ＡＡ：印刷Ｄｕｔｙ９０％以上
Ａ：印刷Ｄｕｔｙ８０％以上９０％未満
Ｂ：印刷Ｄｕｔｙ７０％以上８０％未満
Ｃ：印刷Ｄｕｔｙ７０％未満
【００９６】
［耐擦り性］
上記のインクジェット記録装置を用い、そのインクジェット記録装置のインクカートリッジに各インク組成物を充填し、Ａ４サイズのＸｅｒｏｘ  Ｐ紙（富士ゼロックス社製コピー用紙、坪量６４ｇ／ｍ2、紙厚８８μｍ；被記録媒体）に温度２５℃、湿度５０％の環境下において、下記パターン条件、普通紙標準モードでベタパターンを２００枚連続で印刷した。なお、印刷速度は１００枚／分であった。
パターン条件：印刷Ｄｕｔｙ＝１００％、淵幅＝１ｍｍ、印刷面積＝被記録媒体の半分（図２）
図２は、記録物擦り性を評価する際の印刷面積を示す模式図である。排紙方向に向かって後半部分をベタパターンで印刷した。記録物の排出１秒後、印刷部（後半部分）を指で擦り、インク組成物の剥がれ具合を目視で確認し、下記評価基準により耐擦り性を評価した。
（評価基準）
ＡＡ：擦れ痕及びインク剥がれがない
Ａ：擦れ痕はあるが、インク剥がれはない
Ｂ：擦れ痕及びインク剥がれがともにあるが、目立たない
Ｃ：擦れ痕及びインク剥がれがともにあり、目立つ
【００９７】
［高温印刷安定性］
上記のインクジェット記録装置を用い、そのインクジェット記録装置のインクカートリッジに各インク組成物を充填し、Ａ４サイズのＸｅｒｏｘ  Ｐ紙（富士ゼロックス社製コピー用紙、坪量６４ｇ／ｍ2、紙厚８８μｍ；被記録媒体）に１ドット罫線パターンを印刷した。その後、インク組成物を吐出するヘッドにキャップをせずに温度４０℃、湿度２０％の環境下で１時間放置した後、再度同様に、１ドット罫線パターンを印刷した。
印刷後、上記環境下で放置した前後での記録物の罫線の位置ずれを実測し、下記評価基準により高温印刷安定性を評価した。
（評価基準）
ＡＡ：位置ズレが２０μｍ未満
Ａ：位置ズレが２０μｍ以上４０μｍ未満
Ｂ：位置ズレが４０μｍ以上６０μｍ未満
Ｃ：位置ズレが６０μｍ以上
【００９８】
［発色性］
上記のインクジェット記録装置を用い、そのインクジェット記録装置のインクカートリッジに各インク組成物を充填し、Ａ４サイズのＸｅｒｏｘ  Ｐ紙（富士ゼロックス社製コピー用紙、坪量６４ｇ／ｍ2、紙厚８８μｍ；被記録媒体）に温度２５℃、湿度５０％の環境下において、印刷Ｄｕｔｙ：８０％でベタパターンを印刷した。なお、印刷速度は１００枚／分であった。
印刷後、測色機（商品名「Ｘｒｉｔｅ  ｉ１」、Ｘｒｉｔｅ社製）を用いてＯＤ値を測定し、下記評価基準により発色性を評価した。
（評価基準）
ＡＡ：ＯＤ値１．３以上
Ａ：ＯＤ値１．３未満１．２以上
Ｂ：ＯＤ値１．２未満１．１以上
Ｃ：ＯＤ値１．１未満
【００９９】
【表３】
2018165020.tif 000004
【０１００】
【表４】
2018165020.tif 000005
【図１】
2018165020.tif 000006
【図２】
2018165020.tif 000007